(57)【要約】【課題】塵埃の拡散を抑制するとともにシートの変形を抑制する。【解決手段】照明装置１２は、光源１４と、光源１４に対して出光経路の出口側に配されていて光が出射される出光領域ＥＡを取り囲む枠状部２０Ａと、枠状部２０Ａに対して間隔を空けて出光経路の出口側とは反対側に配されていて光源１４を収容する光源収容部１９Ａと、枠状部２０Ａ及び光源収容部１９Ａのうちの一方側から他方側に向けて突き出して他方の端部に対して嵌合される嵌合部２１と、枠状部２０Ａと光源収容部１９Ａとの間に介在するよう配されるシート１８であって、少なくとも出光領域ＥＡに配されるシート本体１８Ａと、シート本体１８Ａの端部から延出して枠状部２０Ａに取り付けられる延出部２２と、延出部２２に設けられていてシート本体１８Ａの板面に沿う方向について伸縮可能とされる伸縮可能部２３と、を有するシート１８と、を備える。【選択図】図１
2022002205.tif 000002
【特許請求の範囲】
【請求項１】
光源と、
前記光源に対して出光経路の出口側に配されていて光が出射される出光領域を取り囲む枠状部と、
前記枠状部に対して間隔を空けて前記出光経路の出口側とは反対側に配されていて前記光源を収容する光源収容部と、
前記枠状部及び前記光源収容部のうちの一方側から他方側に向けて突き出して前記他方の端部に対して嵌合される嵌合部と、
前記枠状部と前記光源収容部との間に介在するよう配されるシートであって、少なくとも前記出光領域に配されるシート本体と、前記シート本体の端部から延出して前記枠状部に取り付けられる延出部と、前記延出部に設けられていて前記シート本体の板面に沿う方向について伸縮可能とされる伸縮可能部と、を有するシートと、を備える照明装置。
【請求項２】
前記伸縮可能部は、前記延出部のうち前記シート本体の端部に連なる基端位置から前記枠状部に対する取付位置に至る範囲に設けられるとともに、途中で屈曲されている請求項１記載の照明装置。
【請求項３】
前記伸縮可能部は、前記基端位置から前記光源収容部側に向けて延出する第１片部と、前記第１片部の延出端から前記取付位置に至るまで前記枠状部側に向けて延出する第２片部と、を有する請求項２記載の照明装置。
【請求項４】
前記シート本体は、外周端部に直線状の辺部が複数含まれるよう多角形状をなしており、
前記延出部は、複数の前記辺部のうち少なくとも互いに隣り合う２つの辺部のそれぞれに連なるよう少なくとも２つが設けられている請求項１から請求項３のいずれか１項に記載の照明装置。
【請求項５】
前記シート本体において少なくとも互いに隣り合う２つの前記辺部のそれぞれに連なる少なくとも２つの前記延出部のうちそれぞれの延出方向に沿う端面に対してそれぞれ連なる繋ぎ部を備える請求項４記載の照明装置。
【請求項６】
前記繋ぎ部は、前記シート本体の外周端部のうちの互いに隣り合う２つの前記辺部の間に存する角部を中心にして放射状に延びる折り曲げ線に沿って折り曲げられている請求項５記載の照明装置。
【請求項７】
前記嵌合部には、前記光源収容部側から前記枠状部側に向けて突き出す第１嵌合部と、前記枠状部側から前記光源収容部側に向けて突き出して前記光源収容部の端部を構成する前記第１嵌合部に対して嵌合される第２嵌合部と、が含まれる請求項１、請求項２、請求項３、請求項５、請求項６のいずれか１項に記載の照明装置。
【請求項８】
前記枠状部と前記光源収容部との間に介在し且つ前記シート本体に対して前記出光経路の出口側とは反対側に重なるよう配される導光板を備えており、
前記光源は、発光面が前記導光板の外周端面の少なくとも一部に対して対向するよう配される請求項１、請求項２、請求項３、請求項５、請求項６のいずれか１項に記載の照明装置。
【請求項９】
前記光源は、前記導光板の外周端面の一部に対して対向するよう選択的に配されており、
前記延出部は、前記光源とは非重畳となるように前記シート本体の外周端部の一部に対して選択的に連なるよう設けられる請求項８記載の照明装置。
【請求項１０】
前記光源は、前記光源収容部と前記シート本体との間に介在していて発光面が前記シート本体の板面に対して対向するよう配されている請求項１、請求項２、請求項３、請求項５、請求項６のいずれか１項に記載の照明装置。
【請求項１１】
前記延出部は、前記シート本体の外周端部に対して全周にわたって連なるよう設けられる請求項１０記載の照明装置。
【請求項１２】
請求項１から請求項１１のいずれか１項に記載の照明装置と、
前記照明装置から照射される光を利用して画像を表示する表示パネルと、を備える表示装置。
【請求項１３】
前記枠状部は、前記シートと前記表示パネルとの間に介在するよう配されていて前記表示パネル及び前記シート本体の各外周端部をそれぞれ支持可能とされる請求項１２記載の表示装置。
【発明の詳細な説明】
【技術分野】
【０００１】
本明細書が開示する技術は、照明装置及び表示装置に関する。
【背景技術】
【０００２】
従来、液晶表示装置の一例として下記特許文献１に記載されたものが知られている。特許文献１に記載された液晶表示装置は、液晶パネルと導光体との間に光学シートを備え、光学シートの少なくとも一辺に設けられた突部が屈曲されて、導光体の側面に設けられた凹部に係合されることにより、光学シートが位置決めされることを特徴としている。
【先行技術文献】
【特許文献】
【０００３】
【特許文献１】特開２０１１−１８６１７９号公報
【発明の概要】
【発明が解決しようとする課題】
【０００４】
上記した特許文献１に記載された液晶表示装置では、光学シートの組み付けに際して光学シートを導光体に対して位置決めすることができるものの、熱環境の変化に伴って光学シートが熱膨張または熱収縮した場合には、光学シートの変位が規制されてしまうため、光学シートに皺などの変形が生じるおそれがある。また、液晶表示装置の外部から塵埃が侵入した場合には、その塵埃が液晶表示装置の内部空間において拡散し、表示性能に悪影響を及ぼすおそれがある。
【０００５】
本願明細書に記載の技術は、上記のような事情に基づいて完成されたものであって、塵埃の拡散を抑制するとともにシートの変形を抑制することを目的とする。
【課題を解決するための手段】
【０００６】
（１）本願明細書に記載の技術に関わる照明装置は、光源と、前記光源に対して出光経路の出口側に配されていて光が出射される出光領域を取り囲む枠状部と、前記枠状部に対して間隔を空けて前記出光経路の出口側とは反対側に配されていて前記光源を収容する光源収容部と、前記枠状部及び前記光源収容部のうちの一方側から他方側に向けて突き出して前記他方の端部に対して嵌合される嵌合部と、前記枠状部と前記光源収容部との間に介在するよう配されるシートであって、少なくとも前記出光領域に配されるシート本体と、前記シート本体の端部から延出して前記枠状部に取り付けられる延出部と、前記延出部に設けられていて前記シート本体の板面に沿う方向について伸縮可能とされる伸縮可能部と、を有するシートと、を備える。
【０００７】
（２）また、上記照明装置は、上記（１）に加え、前記伸縮可能部は、前記延出部のうち前記シート本体の端部に連なる基端位置から前記枠状部に対する取付位置に至る範囲に設けられるとともに、途中で屈曲されてもよい。
【０００８】
（３）また、上記照明装置は、上記（２）に加え、前記伸縮可能部は、前記基端位置から前記光源収容部側に向けて延出する第１片部と、前記第１片部の延出端から前記取付位置に至るまで前記枠状部側に向けて延出する第２片部と、を有してもよい。
【０００９】
（４）また、上記照明装置は、上記（１）から上記（３）のいずれかに加え、前記シート本体は、外周端部に直線状の辺部が複数含まれるよう多角形状をなしており、前記延出部は、複数の前記辺部のうち少なくとも互いに隣り合う２つの辺部のそれぞれに連なるよう少なくとも２つが設けられてもよい。
【００１０】
（５）また、上記照明装置は、上記（４）に加え、前記シート本体において少なくとも互いに隣り合う２つの前記辺部のそれぞれに連なる少なくとも２つの前記延出部のうちそれぞれの延出方向に沿う端面に対してそれぞれ連なる繋ぎ部を備えてもよい。
【００１１】
（６）また、上記照明装置は、上記（５）に加え、前記繋ぎ部は、前記シート本体の外周端部のうちの互いに隣り合う２つの前記辺部の間に存する角部を中心にして放射状に延びる折り曲げ線に沿って折り曲げられてもよい。
【００１２】
（７）また、上記照明装置は、上記（１）から上記（６）のいずれかに加え、前記嵌合部には、前記光源収容部側から前記枠状部側に向けて突き出す第１嵌合部と、前記枠状部側から前記光源収容部側に向けて突き出して前記光源収容部の端部を構成する前記第１嵌合部に対して嵌合される第２嵌合部と、が含まれてもよい。
【００１３】
（８）また、上記照明装置は、上記（１）から上記（７）のいずれかに加え、前記枠状部と前記光源収容部との間に介在し且つ前記シート本体に対して前記出光経路の出口側とは反対側に重なるよう配される導光板を備えており、前記光源は、発光面が前記導光板の外周端面の少なくとも一部に対して対向するよう配されてもよい。
【００１４】
（９）また、上記照明装置は、上記（８）に加え、前記光源は、前記導光板の外周端面の一部に対して対向するよう選択的に配されており、前記延出部は、前記光源とは非重畳となるように前記シート本体の外周端部の一部に対して選択的に連なるよう設けられてもよい。
【００１５】
（１０）また、上記照明装置は、上記（１）から上記（７）のいずれかに加え、前記光源は、前記光源収容部と前記シート本体との間に介在していて発光面が前記シート本体の板面に対して対向するよう配されてもよい。
【００１６】
（１１）また、上記照明装置は、上記（１０）に加え、前記延出部は、前記シート本体の外周端部に対して全周にわたって連なるよう設けられてもよい。
【００１７】
（１２）本願明細書に記載の技術に関わる表示装置は、上記（１）から上記（１１）のいずれかの照明装置と、前記照明装置から照射される光を利用して画像を表示する表示パネルと、を備える。
【００１８】
（１３）また、上記表示装置は、上記（１２）に加え、前記枠状部は、前記シートと前記表示パネルとの間に介在するよう配されていて前記表示パネル及び前記シート本体の各外周端部をそれぞれ支持可能とされてもよい。
【発明の効果】
【００１９】
本願明細書に記載の技術によれば、塵埃の拡散を抑制するとともにシートの変形を抑制することができる。
【図面の簡単な説明】
【００２０】
【図１】実施形態１に係る低温環境下の液晶表示装置をＹ軸方向に沿って切断した断面図
【図２】低温環境下の液晶表示装置をＸ軸方向に沿って切断した断面図
【図３】低温環境下の液晶表示装置に備わるバックライト装置（フレームを除く）の平面図
【図４】バックライト装置に備わる光学シートの部分斜視図
【図５】高温環境下の液晶表示装置をＹ軸方向に沿って切断した断面図
【図６】高温環境下の液晶表示装置をＸ軸方向に沿って切断した断面図
【図７】高温環境下の液晶表示装置に備わるバックライト装置（フレームを除く）の平面図
【図８】実施形態２に係る光学シートの部分斜視図
【図９】実施形態３に係る低温環境下の液晶表示装置に備わるバックライト装置（フレームを除く）の平面図
【図１０】低温環境下の液晶表示装置の断面図
【図１１】高温環境下の液晶表示装置の断面図
【図１２】実施形態４に係る低温環境下の液晶表示装置をＹ軸方向に沿って切断した断面図
【図１３】実施形態５に係る低温環境下の液晶表示装置をＹ軸方向に沿って切断した断面図
【発明を実施するための形態】
【００２１】
＜実施形態１＞
実施形態１を図１から図７によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、図に示す上側を表側とし、同図下側を裏側とする。
【００２２】
液晶表示装置１０は、全体として平面に視て方形状をなしており、図１及び図２に示すように、画像を表示する液晶パネル（表示パネル）１１と、液晶パネル１１にて画像の表示に利用される光を照射するバックライト装置（照明装置）１２と、これらを保持する枠状のベゼル１３と、を備える。液晶パネル１１は、平面形状が方形とされており、表側を向いた板面が、画像を表示可能な表示面１１ＤＳとされている。液晶パネル１１は、表示面１１ＤＳにおいて互いに並行する一対の辺部がＸ軸方向と一致し、表示面１１ＤＳにおける残りの一対の辺部がＹ軸方向と一致し、表示面１１ＤＳの法線方向がＺ軸方向と一致する姿勢とされる。液晶パネル１１は、表示面１１ＤＳの中央側部分が画像を表示する表示領域とされるのに対し、表示面１１ＤＳの外周側部分が表示領域を取り囲むよう額縁状をなす非表示領域とされる。これに対し、バックライト装置１２は、液晶パネル１１の表示領域に対して平面に視て重畳する中央側部分が光を出射する出光領域ＥＡとされるのに対し、液晶パネル１１の非表示領域に対して平面に視て重畳する外周側部分が出光領域ＥＡを取り囲むよう額縁状をなす非出光領域ＮＥＡとされる。
【００２３】
液晶パネル１１は、図１及び図２に示すように、一対の基板間に液晶層を封入してなる。液晶パネル１１を構成する一対の基板のうち、表側に配されるものがＣＦ基板（対向基板）であり、裏側に配されるものがアレイ基板（アクティブマトリクス基板、ＴＦＴ基板）である。ＣＦ基板には、Ｒ（赤色），Ｇ（緑色），Ｂ（青色）等の各着色部が所定配列で配置されたカラーフィルタと、隣り合う着色部の間を仕切る遮光部（ブラックマトリクス）と、が設けられているのに加えて、配向膜等の構造物が設けられている。アレイ基板には、互いに直交するソース配線とゲート配線とに接続されたスイッチング素子（例えばＴＦＴ）、そのスイッチング素子に接続された画素電極、配向膜等の構造物が設けられている。なお、液晶パネル１１を構成する一対の基板の外面側には、それぞれ偏光板が配されている。
【００２４】
バックライト装置１２は、図１から図３に示すように、光源であるＬＥＤ（Light Emitting Diode：発光ダイオード）１４と、ＬＥＤ１４が実装されたＬＥＤ基板（光源基板）１５と、ＬＥＤ１４からの光を導光する導光板１６と、導光板１６に対して裏側に積層される反射シート１７と、導光板１６に対して表側に積層される光学シート１８と、これらの部材１４〜１８を収容するシャーシ（下ケース）１９と、シャーシ１９に対して表側に間隔を空けて配される枠状のフレーム（上ケース）２０と、を備える。このバックライト装置１２は、ＬＥＤ１４の光が導光板１６に対してＹ軸方向について片側からのみ入光される片側入光タイプのエッジライト型（サイドライト型）とされている。続いて、バックライト装置１２の各構成部品について詳しく説明する。
【００２５】
ＬＥＤ１４は、図１及び図３に示すように、ＬＥＤ基板１５に固着される基板部上にＬＥＤチップを封止材により封止した構成とされる。ＬＥＤ１４は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ１４は、自身の発光面１４Ａとは反対側の面が次述するＬＥＤ基板１５に実装されており、いわゆる頂面発光型とされる。
【００２６】
ＬＥＤ基板１５は、図１及び図３に示すように、Ｘ軸方向に沿って延在する板状をなしており、その板面がＸ軸方向及びＺ軸方向に並行する姿勢でシャーシ１９内に収容される。ＬＥＤ基板１５の板面のうちの導光板１６側を向いた板面には、板面の長さ方向であるＸ軸方向に沿って複数のＬＥＤ１４が間隔を空けて並ぶ形で実装されている。ＬＥＤ基板１５におけるＬＥＤ１４の実装面には、各ＬＥＤ１４の端子などに接続される配線パターンが形成されている。ＬＥＤ基板１５の実装面に実装された状態のＬＥＤ１４は、その光軸（発光面１４Ａの法線方向）がＹ軸方向（Ｚ軸方向と直交する方向）とほぼ一致している。
【００２７】
導光板１６は、ほぼ透明な合成樹脂材料（例えばＰＭＭＡなどのアクリル樹脂やポリカーボネートなど）とされ、屈折率が空気よりも十分に高くなっている。導光板１６は、図１から図３に示すように、液晶パネル１１などと同様に平面形状が方形となる板状をなしており、その板厚がＬＥＤ１４の発光面１４Ａの高さ寸法と同等かそれ以上とされる。導光板１６は、液晶パネル１１及び光学シート１８の直下位置となるようシャーシ１９内に収容されている。導光板１６の外周端面のうちの一端面が、ＬＥＤ１４及びＬＥＤ基板１５と対向状をなしていてＬＥＤ１４からの光が直接的に入射される入光端面（光源対向端面）１６Ａとされる。また、導光板１６の外周端面のうちの残りの３つの端面が、ＬＥＤ１４とは対向することがなくてＬＥＤ１４からの光が直接的に入射されることがない非入光端面（光源非対向端面）１６Ｄとされる。つまり、ＬＥＤ１４及びＬＥＤ基板１５は、導光板１６の外周端面のうちのＸ軸方向に沿う１つの端面である入光端面１６Ａに対してのみ対向するよう選択的に配されている、と言える。導光板１６は、表裏一対の板面のうち、表側（液晶パネル１１側）を向いた板面が、光を液晶パネル１１に向けて出射させる出光板面１６Ｂとされ、裏側を向いた板面が出光板面１６Ｂとは反対側の出光反対板面１６Ｃとされる。このような構成により、導光板１６は、ＬＥＤ１４の発光面１４ＡからＹ軸方向に沿って発せられた光を入光端面１６Ａから導入するとともに、その光を内部で伝播させた後にＺ軸方向に沿って立ち上げて出光板面１６Ｂから液晶パネル１１及び光学シート１８側（表側、光出射側）へ向けて出射させる機能を有している。従って、バックライト装置１２における出光経路は、Ｙ軸方向に沿う第１経路と、Ｚ軸方向に沿う第２経路と、から構成されており、導光板１６の内部において第１経路から第２経路へと変換されている。
【００２８】
反射シート１７は、図１及び図２に示すように、導光板１６の出光反対板面１６Ｃを裏側から覆う形で配されている。反射シート１７は、光反射性に優れており、導光板１６の出光反対板面１６Ｃから漏れた光を表側（出光板面１６Ｂ側）に向けて効率的に立ち上げることができる。反射シート１７は、Ｚ軸方向について導光板１６とシャーシ１９との間に挟まれる形で配されている。
【００２９】
光学シート１８は、図１から図３に示すように、光透過性を有しており、導光板１６の出光板面１６Ｂから出射された光を透過しつつその光に所定の光学作用を付与するものとされる。光学シート１８の具体的な種類としては、例えば拡散シート、レンズシート（プリズムシート）、反射型偏光シートなどがあり、これらの中から適宜に選択して使用することが可能である。光学シート１８は、液晶パネル１１や導光板１６と同様に平面形状が方形となるシート本体１８Ａを有している。シート本体１８Ａは、その外周端部が直線状をなす４つの辺部１８Ａ１により構成されている。光学シート１８は、シート本体１８Ａが導光板１６の出光板面１６Ｂを表側、つまり出光経路の出口側から覆うよう配されている。従って、導光板１６の出光板面１６Ｂから出射された光は、光学シート１８のシート本体１８Ａに入射されて所定の光学作用を付与された後にシート本体１８Ａから出射し、液晶パネル１１に向かうものとされる。シート本体１８Ａは、Ｘ軸方向及びＹ軸方向についての各寸法（平面に視た大きさ）が導光板１６の同寸法と同等程度とされる。このように、シート本体１８Ａは、バックライト装置１２における出光領域ＥＡのほぼ全域にわたって配されている。なお、光学シート１８の詳しい構成については、後に改めて説明する。
【００３０】
シャーシ１９は、図１から図３に示すように、表側（液晶パネル１１側）に向けて開口する略箱型をなしている。シャーシ１９は、液晶パネル１１と同様に平面形状が方形のＬＥＤ収容部（底部、光源収容部）１９Ａと、ＬＥＤ収容部１９Ａにおける外周端から表側（フレーム２０の枠状部２０Ａ側）に向けて突き出す第１嵌合部（側部）１９Ｂと、からなる。ＬＥＤ収容部１９Ａは、その板面が導光板１６などの板面に並行しており、反射シート１７に対して裏側に重なるよう配されている。ＬＥＤ収容部１９Ａは、Ｘ軸方向及びＹ軸方向についての各寸法が導光板１６の同寸法よりもそれぞれ大きくされており、外周端位置が導光板１６の外周端面よりも外側となるよう配されている。第１嵌合部１９Ｂは、ＬＥＤ収容部１９Ａの外周端部（端部）を構成するものであり、ＬＥＤ収容部１９Ａの外周端における４つの辺部に連なる形で４つが設けられている。４つの第１嵌合部１９Ｂは、全体として表側に向けて開口する方形の角筒状をなしており、導光板１６、反射シート１７及び光学シート１８を全周にわたって外側から取り囲んでいる。４つの第１嵌合部１９Ｂのうち、導光板１６の入光端面１６Ａに対して間隔を空けて対向状をなす第１嵌合部１９Ｂの内面には、上記したＬＥＤ基板１５が取り付けられている。
【００３１】
フレーム２０は、図１及び図２に示すように、外形がシャーシ１９よりも一回り大きな枠状をなしている。フレーム２０は、シャーシ１９のＬＥＤ収容部１９Ａに対してＺ軸方向について表側に間隔を空けて配される枠状部２０Ａと、枠状部２０Ａの外周端から裏側（シャーシ１９のＬＥＤ収容部１９Ａ側）に向けて突き出す第２嵌合部（側部）２０Ｂと、からなる。枠状部２０Ａは、平面に視て方形の枠状をなしており、導光板１６及び光学シート１７の外周端部をほぼ全周にわたって表側から押さえて支持するとともに、液晶パネル１１の外周端部をほぼ全周にわたって裏側から受けて支持する。枠状部２０Ａは、その内周面によって平面に視て方形の開口２０Ａ１が構成されており、その開口２０Ａ１がバックライト装置１２における出光経路の出口を構成するとともに、光が出射する出光領域ＥＡを構成する。第２嵌合部２０Ｂは、枠状部２０Ａの外周端部（端部）を構成するものであり、枠状部２０Ａの外周端における４つの辺部に連なる形で４つが設けられている。４つの第２嵌合部２０Ｂは、全体として表側に向けて開口する方形角筒状をなしており、シャーシ１９の第１嵌合部１９Ｂ（ＬＥＤ収容部１９Ａの端部）に対して外側から嵌合されることで、第１嵌合部１９Ｂを外側から全周にわたって取り囲んでいる。
【００３２】
このように、本実施形態では、図１及び図２に示すように、裏側に配されるシャーシ１９と、表側に配されるフレーム２０と、が相互に嵌合される嵌合構造を有しており、第１嵌合部１９Ｂ及び第２嵌合部２０Ｂが嵌合構造である嵌合部２１を構成している。この嵌合部２１によれば、フレーム２０の枠状部２０Ａと、シャーシ１９のＬＥＤ収容部１９Ａと、の間の空間が閉塞状態に保たれるから、同空間においてＬＥＤ１４から発せられた光が不用意に外部に漏れ出し難くなっている。その一方、嵌合部２１を構成する第１嵌合部１９Ｂと第２嵌合部２０Ｂとの間には、僅かながらも隙間が生じ得るものとされている。このような隙間を通して外部からの塵埃が上記空間内に入り込むと、その塵埃が光学シート１８に対して表側（出光経路の出口側）に拡散し、光学シート１８の表側の板面や液晶パネル１１の裏側の板面に付着するなどしてしまい、結果として画像に係る表示品位が悪化することが懸念される。
【００３３】
これに対し、光学シート１８には、図１から図４に示すように、シート本体１８Ａの端部から外向きに延出する延出部２２が設けられている。延出部２２は、シート本体１８Ａの端部からシャーシ１９の第１嵌合部１９Ｂに対して平面に視て重畳する位置に至るまで延出しており、導光板１６の端面とシャーシ１９の第１嵌合部１９Ｂとの間に存在する空間を表側から覆っている。延出部２２は、シート本体１８Ａの外周端部を構成する４つの辺部１８Ａ１のうち、特定の３つの辺部１８Ａ１に連なる形で３つ設けられている。詳しくは、３つの延出部２２は、いずれもＬＥＤ１４及びＬＥＤ基板１５とは平面に視て非重畳となるよう、シート本体１８Ａにおける３つの辺部１８Ａ１に選択的に連ねられている。つまり、３つの延出部２２は、シート本体１８Ａの外周端部のうち、導光板１６における３つの非入光端面１６Ｄに並行する３つの辺部１８Ａ１には連ねられるものの、導光板１６の入光端面１６Ａに並行する１つの辺部１８Ａ１には連ねられていない。シート本体１８Ａの外周端部のうち、３つの延出部２２に連なる３つの辺部１８Ａ１は、互いに隣り合う関係にある。延出部２２は、シート本体１８Ａの各辺部１８Ａ１に対してほぼ全長にわたって連なる形成範囲を有する。そして、延出部２２は、シート本体１８Ａの各辺部１８Ａ１からＸ軸方向またはＹ軸方向に沿って外向きに延出し、その延出端部が、両面テープなどの固着部材ＦＭによってフレーム２０の枠状部２０Ａに取り付け状態に固着されている。このように、延出部２２が枠状部２０Ａに対して取り付けられていれば、嵌合部２１を構成する第１嵌合部１９Ｂと第２嵌合部２０Ｂとの間に生じた隙間を通して外部からの塵埃が内部に入り込んだとしても、その塵埃が光学シート１８に対して出光経路の出口側に拡散する事態を生じ難くすることができる。その一方で、延出部２２が枠状部２０Ａに対して取り付けられると、熱環境の変化に伴ってシート本体１８Ａが熱膨張または熱収縮した場合に、シート本体１８Ａの板面に沿う方向についてのシート本体１８Ａの変位が制限されてしまい、シート本体１８Ａに皺などの変形が生じることが懸念される。
【００３４】
そこで、延出部２２には、図１から図４に示すように、シート本体１８Ａの板面に沿う方向（Ｘ軸方向及びＹ軸方向を含む方向）について伸縮可能とされる伸縮可能部２３が設けられている。このように、延出部２２に伸縮可能部２３が設けられていれば、熱環境の変化に伴ってシート本体１８Ａが熱膨張または熱収縮した場合でも、伸縮可能部２３が伸縮することで、シート本体１８Ａの板面に沿う方向についてのシート本体１８Ａの変位が許容される。これにより、シート本体１８Ａに皺などの変形が生じ難くなるので、出光領域ＥＡから出射する光に悪影響が及び難くなり、結果として画像に係る表示品位を良好に保つことができる。
【００３５】
伸縮可能部２３の詳しい構成について説明する。伸縮可能部２３は、図１，図２及び図４に示すように、延出部２２のうちシート本体１８Ａの端部に連なる基端位置から枠状部２０Ａに対する取付位置に至る範囲に設けられるとともに、途中で屈曲されている。従って、伸縮可能部２３は、上記した基端位置から上記した取付位置に至るまでの延面距離が、基端位置から取付位置に至るまでの直線距離よりも大きくなっている。これにより、伸縮可能部２３がシート本体１８Ａの板面に沿う方向について伸縮することが可能とされている。
【００３６】
より詳しくは、伸縮可能部２３は、図１，図２及び図４に示すように、断面形状が略Ｖ字型をなしており、上記した基端位置に連なる第１片部（延出基端側部分）２３Ａと、第１片部２３Ａの延出端と上記した取付位置とに連なる第２片部（延出先端側部分）２３Ｂと、を有する。第１片部２３Ａは、上記した基端位置から遠ざかるほどＺ軸方向について裏側、つまりＬＥＤ収容部１９Ａ側に向かうよう斜めに延出している。第２片部２３Ｂは、第１片部２３Ａの延出端から遠ざかるほどＺ軸方向について表側、つまり枠状部２０Ａ側に向かうよう斜めに延出して上記した取付位置に至る。第２片部２３Ｂは、第１片部２３Ａよりも延面距離が大きい。このように、伸縮可能部２３は、第１片部２３Ａと第２片部２３Ｂとの繋ぎ目が屈曲位置となるよう全体として折り返し状をなしており、屈曲回数が１回とされている。仮に、第１片部がシート本体１８Ａの端部から出光経路の出口側に向けて延出する場合には、伸縮可能部２３の屈曲回数が少なくとも２回となる場合に比べると、伸縮可能部２３の屈曲回数が少なくなっているので、伸縮可能部２３を設けるのに要するスペースが小さくなる。これにより、バックライト装置１２及び液晶表示装置１０の額縁幅を狭く保つ上で好適となる。以上のような構成の延出部２２及び伸縮可能部２３を有する光学シート１８は、展開形状のものに曲げ加工を施すことで、図４に示されるような形状に成形されるようになっている。
【００３７】
本実施形態は以上のような構造であり、続いてその作用を説明する。上記した構成の液晶表示装置１０の電源をＯＮすると、液晶パネル１１の駆動が制御されるとともに、ＬＥＤ基板１５の各ＬＥＤ１４が点灯される。各ＬＥＤ１４から発せられた光は、図１に示すように、Ｙ軸方向に沿って進行して導光板１６の入光端面１６Ａに入射してから導光板１６内を伝播され、その過程でＺ軸方向に沿って進行するよう表側に向けて立ち上げられて出光板面１６Ｂから出射する。出光板面１６Ｂから出射した光は、光学シート１８のシート本体１８Ａを透過する過程で所定の光学作用を付与された後に液晶パネル１１に照射される。液晶パネル１１は、バックライト装置１２の出光領域ＥＡから出射される光を利用して表示領域に所定の画像を表示することができる。
【００３８】
各ＬＥＤ１４が点灯した状態では、バックライト装置１２の内部空間には多くの光が存在している。このバックライト装置１２の内部空間は、図１及び図２に示すように、シャーシ１９及びフレーム２０に設けられる嵌合部２１によって閉塞状態に保たれているから、内部空間に存在する光が不用意に外部に漏れ出し難くなっている。これにより、液晶表示装置１０におけるコントラスト性能などが良好に保たれる。その一方で、嵌合部２１を構成する第１嵌合部１９Ｂと第２嵌合部２０Ｂとの間に僅かながらも隙間が生じるのは避けられず、その隙間から外部の塵埃が内部空間に侵入するおそれがある。その点、光学シート１８には、シート本体１８Ａの端部から延出してフレーム２０の枠状部２０Ａに取り付けられる延出部２２が設けられているから、嵌合部２１を構成する第１嵌合部１９Ｂと第２嵌合部２０Ｂとの間に生じた隙間を通して外部からの塵埃が内部空間に入り込んだとしても、その塵埃が光学シート１８と液晶パネル１１との間の空間にまで拡散される事態が生じ難くなる。これにより、塵埃に起因する表示品位の悪化が生じ難くなる。
【００３９】
ところで、液晶表示装置１０の使用に伴って各ＬＥＤ１４が点灯されると、各ＬＥＤ１４が発熱するのに加えて、バックライト装置１２の裏側に配された各種基板類が発熱することで、液晶表示装置１０の内部の熱環境が高温化する。その逆に、液晶表示装置１０の使用を止めた場合に各ＬＥＤ１４が消灯されると、各ＬＥＤ１４の発熱が収まるのに加えて、バックライト装置１２の裏側に配された各種基板類の発熱も収まることで、液晶表示装置１０の内部の熱環境が低温化する。それ以外にも、外部の環境温度（屋内での使用であれば室温、屋外での使用であれば外気温）の変化に伴って、液晶表示装置１０の内部の熱環境が高温化したり低温化したりする。このように、液晶表示装置１０の内部の熱環境が変動すると、液晶表示装置１０の構成部品には熱膨張や熱収縮が生じることになり、特に大型で且つ薄型の部材である光学シート１８のシート本体１８Ａは、熱膨張や熱収縮に伴う伸縮量が大きくなりがちとされるとともに、伸縮に伴う皺や撓みなどの変形が発生し易くて光学性能が劣化し易い傾向にある。
【００４０】
その点、光学シート１８に備わる延出部２２には、図１及び図２に示すように、シート本体１８Ａの板面に沿う方向について伸縮可能な伸縮可能部２３が設けられているから、熱環境の変化に伴ってシート本体１８Ａが熱膨張または熱収縮した場合でも、伸縮可能部２３が伸縮することで、シート本体１８Ａの板面に沿う方向についてのシート本体１８Ａの変位が許容される。詳しくは、図１から図３に示される低温環境から図５から図７に示される高温環境に移行した場合には、３つの伸縮可能部２３がシート本体１８Ａの板面に沿うＸ軸方向やＹ軸方向についてそれぞれ収縮することで、シート本体１８ＡがＸ軸方向及びＹ軸方向に沿って伸長するよう変位するのを阻害され難くなる。なお、図５及び図６には、低温環境における伸縮可能部２３を二点鎖線にて図示している。このとき、伸縮可能部２３は、第１片部２３Ａと第２片部２３Ｂとがなす角度が小さくなるよう変形することで全体として収縮するとともに、シート本体１８Ａに連なる基端位置が導光板１６の端面から遠ざかる向き（外向き）に変位する。なお、枠状部２０Ａに対する伸縮可能部２３の取付位置については、変位することがない。逆に、図５から図７に示される高温環境から図１から図３に示される低温環境に移行した場合には、３つの伸縮可能部２３がシート本体１８Ａの板面に沿うＸ軸方向やＹ軸方向についてそれぞれ伸長することで、シート本体１８ＡがＸ軸方向及びＹ軸方向に沿って収縮するよう変位するのを阻害され難くなる。このとき、伸縮可能部２３は、第１片部２３Ａと第２片部２３Ｂとがなす角度が大きくなるよう変形することで全体として伸長するとともに、シート本体１８Ａに連なる基端位置が導光板１６の端面に近づく向き（内向き）に変位する。なお、枠状部２０Ａに対する伸縮可能部２３の取付位置については、変位することがない。従って、上記のような低温環境と高温環境とを交互に繰り返すよう熱環境が変化した場合でも、各伸縮可能部２３が伸縮を繰り返すことで、シート本体１８Ａが繰り返し伸縮することが許容されるとともにシート本体１８Ａに皺などの変形が生じ難くなる。これにより、出光領域ＥＡから出射する光に悪影響が及び難くなり、表示領域に表示される画像に係る表示品位が良好に保たれる。
【００４１】
以上説明したように本実施形態のバックライト装置（照明装置）１２は、ＬＥＤ（光源）１４と、ＬＥＤ１４に対して出光経路の出口側に配されていて光が出射される出光領域ＥＡを取り囲む枠状部２０Ａと、枠状部２０Ａに対して間隔を空けて出光経路の出口側とは反対側に配されていてＬＥＤ１４を収容するＬＥＤ収容部（光源収容部）１９Ａと、枠状部２０Ａ及びＬＥＤ収容部１９Ａのうちの一方側から他方側に向けて突き出して他方の端部に対して嵌合される嵌合部２１と、枠状部２０ＡとＬＥＤ収容部１９Ａとの間に介在するよう配される光学シート（シート）１８であって、少なくとも出光領域ＥＡに配されるシート本体１８Ａと、シート本体１８Ａの端部から延出して枠状部２０Ａに取り付けられる延出部２２と、延出部２２に設けられていてシート本体１８Ａの板面に沿う方向について伸縮可能とされる伸縮可能部２３と、を有する光学シート１８と、を備える。
【００４２】
このようにすれば、ＬＥＤ１４から発せられた光は、出光経路の出口側へと進行し、枠状部２０Ａによって取り囲まれた出光領域ＥＡから外部に向けて出射される。ＬＥＤ１４は、枠状部２０Ａに対して間隔を空けて出光経路の出口側とは反対側に配されるＬＥＤ収容部１９Ａに収容されており、枠状部２０ＡとＬＥＤ収容部１９Ａとの間の空間に配されている。これに対し、嵌合部２１は、枠状部２０Ａ及びＬＥＤ収容部１９Ａのうちの一方側から他方側に向けて突き出して他方の端部に対して嵌合されているから、枠状部２０ＡとＬＥＤ収容部１９Ａとの間の空間においてＬＥＤ１４から発せられた光が不用意に外部に漏れ出し難くなっている。光学シート１８を構成するシート本体１８Ａは、少なくとも出光領域ＥＡに配されているので、出光領域ＥＡから出射する光にはシート本体１８Ａにより作用が付与され得る。シート本体１８Ａの端部から延出する延出部２２は、枠状部２０Ａに取り付けられているから、嵌合部２１と他方の端部との間に生じた隙間から塵埃が入り込んだとしても、その塵埃が光学シート１８に対して出光経路の出口側に拡散する事態を生じ難くすることができる。
【００４３】
ここで、熱環境の変化に伴ってシート本体１８Ａが熱膨張または熱収縮した場合には、延出部２２が枠状部２０Ａに取り付けられているため、シート本体１８Ａの板面に沿う方向についてのシート本体１８Ａの変位が制限されてしまい、シート本体１８Ａに皺などの変形が生じることが懸念される。その点、延出部２２には、シート本体１８Ａの板面に沿う方向について伸縮可能とされる伸縮可能部２３が設けられているから、熱環境の変化に伴ってシート本体１８Ａが熱膨張または熱収縮した場合でも、伸縮可能部２３が伸縮することで、シート本体１８Ａの板面に沿う方向についてのシート本体１８Ａの変位が許容される。これにより、シート本体１８Ａに皺などの変形が生じ難くなるので、出光領域ＥＡから出射する光に悪影響が及び難くなる。
【００４４】
また、伸縮可能部２３は、延出部２２のうちシート本体１８Ａの端部に連なる基端位置から枠状部２０Ａに対する取付位置に至る範囲に設けられるとともに、途中で屈曲されている。このようにすれば、伸縮可能部２３は、途中で屈曲されているので、基端位置から取付位置に至るまでの延面距離が、基端位置から取付位置に至るまでの直線距離よりも大きくなっている。これにより、伸縮可能部２３がシート本体１８Ａの板面に沿う方向について伸縮することが可能とされている。また、伸縮可能部２３を延出部２２に設ける際には、例えば延出部２２に曲げ加工を施せば済むので、製造が容易になる。
【００４５】
また、伸縮可能部２３は、基端位置からＬＥＤ収容部１９Ａ側に向けて延出する第１片部２３Ａと、第１片部２３Ａの延出端から取付位置に至るまで枠状部２０Ａ側に向けて延出する第２片部２３Ｂと、を有する。このようにすれば、伸縮可能部２３は、第１片部２３Ａと第２片部２３Ｂとの繋ぎ目において屈曲されていて全体として折り返し状をなすことになるので、伸縮機能を十分に発揮することができる。第１片部２３Ａは、シート本体１８Ａの端部からＬＥＤ収容部１９Ａ側、つまり出光経路の出口側とは反対側に向けて延出しており、それにより伸縮可能部２３の屈曲回数が１回とされている。仮に、第１片部がシート本体１８Ａの端部から出光経路の出口側に向けて延出する場合には、伸縮可能部２３の屈曲回数が少なくとも２回となる場合に比べると、伸縮可能部２３の屈曲回数が少なくなっているので、伸縮可能部２３を設けるのに要するスペースが小さくなる。これにより、当該バックライト装置１２の額縁幅を狭く保つ上で好適となる。
【００４６】
また、シート本体１８Ａは、外周端部に直線状の辺部１８Ａ１が複数含まれるよう多角形状をなしており、延出部２２は、複数の辺部１８Ａ１のうち少なくとも互いに隣り合う２つの辺部１８Ａ１のそれぞれに連なるよう少なくとも２つが設けられている。このようにすれば、多角形状をなすシート本体１８Ａにおいて少なくとも互いに隣り合う２つの辺部１８Ａ１のそれぞれに連なる少なくとも２つの延出部２２には、それぞれ伸縮可能部２３が設けられている。従って、熱環境の変化に伴ってシート本体１８Ａが熱膨張または熱収縮した場合、シート本体１８Ａにおいて少なくとも互いに隣り合う２つの辺部１８Ａ１のそれぞれに連なる少なくとも２つの延出部２２に設けられた各伸縮可能部２３が伸縮することで、シート本体１８Ａの板面に沿う少なくとも２方向についてシート本体１８Ａの変位が許容されることになる。これにより、シート本体１８Ａに皺などの変形がより生じ難くなる。
【００４７】
また、嵌合部２１には、ＬＥＤ収容部１９Ａ側から枠状部２０Ａ側に向けて突き出す第１嵌合部１９Ｂと、枠状部２０Ａ側からＬＥＤ収容部１９Ａ側に向けて突き出してＬＥＤ収容部１９Ａの端部を構成する第１嵌合部１９Ｂに対して嵌合される第２嵌合部２０Ｂと、が含まれる。このようにすれば、ＬＥＤ収容部１９Ａ側から枠状部２０Ａ側に向けて突き出す第１嵌合部１９Ｂと、枠状部２０Ａ側からＬＥＤ収容部１９Ａ側に向けて突き出す第２嵌合部２０Ｂと、が互いに嵌合することで、枠状部２０ＡとＬＥＤ収容部１９Ａとの間の空間においてＬＥＤ１４から発せられた光が不用意に外部により漏れ出し難くなるとともに、外部の塵埃が入り込み難くなる。
【００４８】
また、枠状部２０ＡとＬＥＤ収容部１９Ａとの間に介在し且つシート本体１８Ａに対して出光経路の出口側とは反対側に重なるよう配される導光板１６を備えており、ＬＥＤ１４は、発光面１４Ａが導光板１６の外周端面の少なくとも一部に対して対向するよう配される。このようにすれば、ＬＥＤ１４の発光面１４Ａから発せられた光は、対向する導光板１６の外周端面の少なくとも一部に入射してから、導光板１６の板面のうちのシート本体１８Ａ側の板面から出射し、シート本体１８Ａを介して出光領域ＥＡから外部へと出射する。シート本体１８Ａは、導光板１６の板面によって支持されることで、皺などの変形がより生じ難くなっている。
【００４９】
また、ＬＥＤ１４は、導光板１６の外周端面の一部に対して対向するよう選択的に配されており、延出部２２は、ＬＥＤ１４とは非重畳となるようにシート本体１８Ａの外周端部の一部に対して選択的に連なるよう設けられる。このようにすれば、延出部２２に設けられる伸縮可能部２３がＬＥＤ１４に対して干渉することが避けられる。これにより、導光板１６における光の入射効率が良好なものとなる。
【００５０】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出光領域ＥＡから出射された光は、液晶パネル１１において画像の表示に利用される。嵌合部２１と他方の端部との間に生じた隙間から入り込んだ塵埃は、枠状部２０Ａに取り付けられる延出部２２によって遮られることで、光学シート１８と液晶パネル１１との間に拡散し難くなる。これにより、液晶パネル１１に表示される画像に係る表示品位が良好に保たれる。
【００５１】
また、枠状部２０Ａは、光学シート１８と液晶パネル１１との間に介在するよう配されていて液晶パネル１１及びシート本体１８Ａの各外周端部をそれぞれ支持可能とされる。このようにすれば、シート本体１８Ａは、外周端部が枠状部２０Ａによって出光経路の出口側から支持される。液晶パネル１１は、外周端部が枠状部２０Ａによって出光経路の出口側とは反対側から支持される。シート本体１８Ａと液晶パネル１１との間には、枠状部２０Ａによって間隔が空けられた状態とされる。嵌合部２１と他方の端部との間に生じた隙間から入り込んだ塵埃は、枠状部２０Ａに取り付けられる延出部２２によって遮られることで、シート本体１８Ａと液晶パネル１１との間に空けられた空間に拡散し難くなる。
【００５２】
＜実施形態２＞
実施形態２を図８によって説明する。この実施形態２では、光学シート１１８の構成を変更したものを示す。なお、上記した実施形態１と同様の構造、作用及び効果について重複する説明は省略する。
【００５３】
本実施形態に係る光学シート１１８には、図８に示すように、シート本体１１８Ａの外周端部における周方向について隣り合う位置関係となる延出部１２２同士を繋ぐ繋ぎ部２４が設けられている。詳しくは、繋ぎ部２４は、シート本体１１８Ａにおいて互いに隣り合う２つの辺部１１８Ａ１のそれぞれに連なる２つの延出部１２２のうちそれぞれの延出方向に沿う端面に対してそれぞれ連ねられている。ここで、延出部１２２は、実施形態１にて説明した通り、シート本体１１８Ａの外周端部における３つの辺部１１８Ａ２のそれぞれに連なるよう３つが設けられている。従って、繋ぎ部２４は、シート本体１１８Ａの外周端部におけるＸ軸方向に沿う辺部１１８Ａ１に連なる延出部１２２と、シート本体１１８Ａの外周端部のうちのＹ軸方向に沿う２つの辺部１１８Ａ１に連なる２つの延出部１２２と、にそれぞれ連なる形で２つが設けられている。このような２つの繋ぎ部２４により、互いに隣り合う２つずつの延出部１２２の間に生じ得る隙間をそれぞれ閉塞することができる。これにより、嵌合部を構成する第１嵌合部と第２嵌合部との間に生じた隙間から入り込んだ塵埃が、光学シート１１８に対して出光経路の出口側に拡散する事態をより生じ難くすることができる。
【００５４】
繋ぎ部２４は、図８に示すように、延出部１２２に設けられた伸縮可能部１２３を構成する第１片部１２３Ａにおける延出方向に沿う端面に連ねられており、第２片部１２３Ｂには連ねられていない。繋ぎ部２４は、延出部１２２に加えて、シート本体１１８Ａの外周端部のうちの互いに隣り合う２つの辺部１１８Ａ１の間に存する角部１１８Ａ２にも連ねられている。そして、繋ぎ部２４は、シート本体１１８Ａの外周端部における角部１１８Ａ２を中心にして放射状に延びる折り曲げ線ＦＬに沿って折り曲げられている。繋ぎ部２４は、折り曲げ線ＦＬに沿って谷折り状に折り曲げられる谷折り部と、山折り状に折り曲げられる山折り部と、がシート本体１１８Ａの周方向について交互に並ぶよう、全体としてアコーディオン状に形成されている。より具体的には、繋ぎ部２４は、２つの谷折り部と、１つの山折り部と、を有する。このような構成によれば、展開形状の光学シート１１８に曲げ加工を施して光学シート１１８の成形を行うことができる。具体的には、３つの延出部１２２を、シート本体１１８Ａに対して折り曲げつつ成形する一方で、２つの繋ぎ部２４を、連なる各延出部１２２に対して折り曲げるとともに各折り曲げ線ＦＬに沿って折り曲げると、図８に示される形状の光学シート１１８を成形することができる。以上のように、曲げ加工を施すことで容易に光学シート１１８を製造することができる。
【００５５】
以上説明したように本実施形態によれば、シート本体１１８Ａにおいて少なくとも互いに隣り合う２つの辺部１１８Ａ１のそれぞれに連なる少なくとも２つの延出部１２２のうちそれぞれの延出方向に沿う端面に対してそれぞれ連なる繋ぎ部２４を備える。このようにすれば、繋ぎ部２４は、シート本体１１８Ａにおいて少なくとも互いに隣り合う２つの辺部１１８Ａ１のそれぞれに連なる少なくとも２つの延出部１２２の間に生じ得る隙間を閉塞することができる。これにより、嵌合部と他方の端部との間に生じた隙間から入り込んだ塵埃が、光学シート１１８に対して出光経路の出口側に拡散する事態をより生じ難くすることができる。
【００５６】
また、繋ぎ部２４は、シート本体１１８Ａの外周端部のうちの互いに隣り合う２つの辺部１１８Ａ１の間に存する角部１１８Ａ２を中心にして放射状に延びる折り曲げ線ＦＬに沿って折り曲げられている。展開形状の光学シート１１８に曲げ加工を施して光学シート１１８の成形を行う際には、シート本体１１８Ａにおいて少なくとも互いに隣り合う２つの辺部１１８Ａ１のそれぞれに連なる少なくとも２つの延出部１２２をシート本体１１８Ａに対して折り曲げるとともに、シート本体１１８Ａの外周端部のうちの互いに隣り合う２つの辺部１１８Ａ１の間に存する角部１１８Ａ２を中心にして放射状に延びる折り曲げ線ＦＬに沿って繋ぎ部２４を折り曲げることで、光学シート１１８を所望形状に成形することができる。このように、容易に光学シート１１８を製造することができる。
【００５７】
＜実施形態３＞
実施形態３を図９から図１１によって説明する。この実施形態３では、上記した実施形態１からバックライト装置２１２の構成を変更したものを示す。なお、上記した実施形態１と同様の構造、作用及び効果について重複する説明は省略する。
【００５８】
本実施形態に係るバックライト装置２１２は、図９及び図１０に示すように、いわゆる直下型とされており、上記した実施形態１に記載された導光板１６を有さない。詳しくは、ＬＥＤ２１４が実装されたＬＥＤ基板２１５は、その板面が光学シート２１８のシート本体２１８Ａの板面に並行する姿勢でシャーシ２１９内に収容されていてＬＥＤ収容部２１９Ａによって裏側から支持されている。ＬＥＤ基板２１５の板面のうちの表側を向いていてシート本体２１８Ａと対向状をなす板面には、複数のＬＥＤ２１４が表面実装されており、ここが実装面となっている。ＬＥＤ２１４は、ＬＥＤ基板２１５の板面内においてＸ軸方向及びＹ軸方向についてそれぞれ間隔を空けた位置に複数ずつがマトリクス状に並んで配列されている。これらのＬＥＤ２１４は、Ｚ軸方向についてＬＥＤ収容部２１９Ａとシート本体２１８Ａとの間に介在する配置とされるとともに、発光面２１４Ａがシート本体２１８Ａの板面に対して対向するよう配されている。このような構成によれば、ＬＥＤ２１４の発光面２１４Ａから発せられた光は、対向するシート本体２１８Ａを介して出光領域ＥＡから外部へと出射する。つまり、出光経路が直線状となるので、光の利用効率が高くなる。また、バックライト装置２１２の薄型化を図る上でも好適となる。
【００５９】
延出部２２２は、図９及び図１０に示すように、シート本体２１８Ａの外周端部に対して全周にわたって連なるよう設けられる。つまり、延出部２２２は、シート本体２１８Ａの外周端部を構成する４つの辺部２１８Ａ１に対してそれぞれ連なるよう４つが設けられている。これら４つの延出部２２２が枠状部２２０Ａに対してそれぞれ取り付けられているので、嵌合部２２１を構成する第１嵌合部２１９Ｂと第２嵌合部２２０Ｂとの間に生じた隙間から入り込んだ塵埃が光学シート２１８に対して出光経路の出口側に拡散する事態をより生じ難くすることができる。そして、これら４つの延出部２２２には、それぞれ伸縮可能部２２３が設けられている。従って、熱環境の変化が生じた場合には、図１１に示すように、４つの伸縮可能部２２３がシート本体２１８Ａの板面に沿うＸ軸方向やＹ軸方向についてそれぞれ収縮することで、シート本体２１８ＡがＸ軸方向及びＹ軸方向に沿って伸縮するよう変位するのを阻害され難くなる。本実施形態によれば、上記した実施形態１に比べると、シート本体２１８Ａがより自由に伸縮することが許容されるので、シート本体２１８Ａに皺などの変形がより生じ難くなっている。
【００６０】
以上説明したように本実施形態によれば、ＬＥＤ２１４は、ＬＥＤ収容部２１９Ａとシート本体２１８Ａとの間に介在していて発光面２１４Ａがシート本体２１８Ａの板面に対して対向するよう配されている。このようにすれば、ＬＥＤ２１４の発光面２１４Ａから発せられた光は、対向するシート本体２１８Ａを介して出光領域ＥＡから外部へと出射する。つまり、出光経路が直線状となるので、光の利用効率が高くなる。また、当該バックライト装置２１２の薄型化を図る上でも好適となる。
【００６１】
また、延出部２２２は、シート本体２１８Ａの外周端部に対して全周にわたって連なるよう設けられる。このようにすれば、熱環境の変化に伴ってシート本体２１８Ａが熱膨張または熱収縮した場合、シート本体２１８Ａの外周端部に対して全周にわたって連なるよう設けられる延出部２２２に設けられた伸縮可能部２２３が伸縮することで、シート本体２１８Ａの板面に沿う方向についてシート本体２１８Ａの変位が自在に許容される。これにより、シート本体２１８Ａに皺などの変形がより生じ難くなる。また、シート本体２１８Ａの外周端部に対して全周にわたって連なるよう設けられる延出部２２２が枠状部２２０Ａに対して取り付けられているので、嵌合部２２１と他方の端部との間に生じた隙間から入り込んだ塵埃が光学シート２１８に対して出光経路の出口側に拡散する事態をより生じ難くすることができる。
【００６２】
＜実施形態４＞
実施形態４を図１２によって説明する。この実施形態４では、上記した実施形態１からバックライト装置３１２の構成を変更したものを示す。なお、上記した実施形態１と同様の構造、作用及び効果について重複する説明は省略する。
【００６３】
本実施形態に係るバックライト装置３１２は、図１２に示すように、上記した実施形態１に記載したフレーム２０を有さない構成とされる。これに伴い、液晶パネル３１１は、光学シート３１８に対して表側に積層される形で配される。そして、ベゼル３１３は、シャーシ３１９との間に、互いに積層された液晶パネル３１１、導光板３１６、反射シート３１７及び光学シート３１８を挟み込んで保持する。ベゼル３１３は、シャーシ３１９のＬＥＤ収容部３１９Ａに対してＺ軸方向について表側に間隔を空けて配される枠状部３１３Ａと、枠状部３１３Ａの外周端から裏側（ＬＥＤ収容部３１９Ａ側）に向けて突き出す第２嵌合部３１３Ｂと、からなる。枠状部３１３Ａは、平面に視て方形の枠状をなしており、液晶パネル３１１の外周端部をほぼ全周にわたって表側から押さえて支持する。枠状部３１３Ａは、その内周面によって平面に視て方形の開口３１３Ａ１が構成されており、その開口３１３Ａ１がバックライト装置３１２における出光経路の出口を構成するとともに、光が出射する出光領域ＥＡを構成する。第２嵌合部３１３Ｂは、枠状部３１３Ａの外周端部（端部）を構成するものであり、枠状部３１３Ａの外周端における４つの辺部に連なる形で４つが設けられている。４つの第２嵌合部３１３Ｂは、全体として表側に向けて開口する方形角筒状をなしており、シャーシ３１９の第１嵌合部３１９Ｂ（ＬＥＤ収容部３１９Ａの端部）に対して外側から嵌合されることで、第１嵌合部３１９Ｂを外側から全周にわたって取り囲んでいる。
【００６４】
ベゼル３１３を構成する枠状部３１３Ａには、図１２に示すように、光学シート３１８に備わる延出部３２２が固着部材ＦＭによって取り付けられている。このように、延出部３２２がベゼル３１３の枠状部３１３Ａに対して取り付けられていれば、嵌合部３２１を構成する第１嵌合部３１９Ｂと第２嵌合部３１３Ｂとの間に生じた隙間を通して外部からの塵埃が内部に入り込んだとしても、その塵埃が光学シート３１８に対して出光経路の出口側に拡散する事態を生じ難くすることができる。
【００６５】
＜実施形態５＞
実施形態５を図１３によって説明する。この実施形態５では、上記した実施形態１から光学シート４１８の構成を変更したものを示す。なお、上記した実施形態１と同様の構造、作用及び効果について重複する説明は省略する。
【００６６】
本実施形態に係る光学シート４１８には、図１３に示すように、伸縮可能部４２３を有する３つの延出部４２２に加えて、伸縮可能部４２３を有さない第２の延出部２５が設けられている。第２の延出部２５は、ＬＥＤ４１４及びＬＥＤ基板４１５に対して平面に視て重畳するよう配されており、シート本体４１８Ａの外周端部のうち、導光板４１６の入光端面４１６Ａに並行する１つの辺部４１８Ａ１に連ねられている。つまり、第２の延出部２５は、シート本体４１８Ａの外周端部のうち、３つの延出部４２２が連ねられない端部に対して選択的に連ねられている。第２の延出部２５は、シート本体４１８Ａの端部からフレーム４２０の枠状部４２０Ａに向けてほぼ直線状に延出するとともにその延出端部が固着部材ＦＭによって枠状部４２０Ａに取り付けられている。第２の延出部２５は、伸縮可能部４２３を有していないので、シート本体４１８Ａの板面に沿う方向について伸縮することがほぼ不能とされる。しかしながら、シート本体４１８Ａの外周端部のうち、第２の延出部２５が連なる端部とは反対側の端部には、伸縮可能部４２３を有する延出部４２２が連ねられている。従って、熱環境の変化が生じた場合には、シート本体４１８Ａの外周端部のうち、第２の延出部２５が連なる端部とは反対側の端部に連なる延出部４２２に設けられた伸縮可能部４２３が伸縮することで、シート本体４１８ＡがＹ軸方向について伸縮しつつ変位することが許容される。これにより、シート本体４１８Ａに皺などの変形が生じ難くなっている。そして、シート本体４１８Ａの外周端部には、いずれもフレーム４２０の枠状部４２０Ａに対して取り付けられる３つの延出部４２２と１つの第２の延出部２５とが設けられているので、嵌合部４２１を構成する第１嵌合部４１９Ｂと第２嵌合部４２０Ｂとの間に生じた隙間から入り込んだ塵埃が光学シート４１８に対して出光経路の出口側に拡散する事態をより生じ難くすることができる。
【００６７】
＜他の実施形態＞
本明細書が開示する技術は、上記記述及び図面によって説明した実施形態に限定されるものではなく、例えば次のような実施形態も技術的範囲に含まれる。
【００６８】
（１）延出部２２，１２２，２２２，３２２，４２２の設置数は、３つより少なくても構わない。例えば、シート本体１８Ａ，１１８Ａ，２１８Ａ，４１８Ａの外周端部のうち、Ｘ軸方向に沿う一端部と、Ｙ軸方向に沿う一端部と、にそれぞれ連なる形で２つの延出部２２，１２２，２２２，３２２，４２２を設けることも可能である。このような構成であっても、２つの延出部２２，１２２，２２２，３２２，４２２にそれぞれ伸縮可能部２３，１２３，２２３，４２３が設けられることで、シート本体１８Ａ，１１８Ａ，２１８Ａ，４１８ＡがＸ軸方向及びＹ軸方向についてそれぞれ伸縮するのが許容される。
【００６９】
（２）伸縮可能部２３，１２３，２２３，４２３は、断面形状がＶ字型以外にもＵ字型など湾曲した形状であっても構わない。
【００７０】
（３）伸縮可能部２３，１２３，２２３，４２３は、途中で２回以上屈曲されていても構わない。例えば、伸縮可能部２３，１２３，２２３，４２３が２回屈曲される場合は、第１片部２３Ａ，１２３Ａがシート本体１８Ａ，１１８Ａ，２１８Ａ，４１８Ａの端部から表側（出光経路の出口側）に向けて延出する構成となっても構わない。
【００７１】
（４）延出部２２，１２２，２２２，３２２，４２２は、シート本体１８Ａ，１１８Ａ，２１８Ａ，４１８Ａの辺部における全幅に満たない幅となるよう形成されていても構わない。
【００７２】
（５）延出部２２，１２２，２２２，３２２，４２２は、延出端部よりも基端位置寄りの部分が枠状部２０Ａ，２２０Ａ，３１３Ａ，４２０Ａに取り付けられても構わない。
【００７３】
（６）延出部２２，１２２，２２２，３２２，４２２は、延出長さが第１嵌合部１９Ｂ，２１９Ｂ，３１９Ｂ，４１９Ｂに至らない大きさであっても構わない。
【００７４】
（７）シャーシ１９，３１９の第１嵌合部１９Ｂ，２１９Ｂ，３１９Ｂ，４１９Ｂと、フレーム２０，４２０またはベゼル３１３の第２嵌合部２０Ｂ，２２０Ｂ，３１３Ｂ，４２０Ｂと、のうちのいずれか一方を省略することも可能である。
【００７５】
（８）光学シート１８，１１８，２１８，３１８，４１８の具体的な種類は、適宜に変更可能である。例えば、ＬＥＤ１４，２１４，４１４からの一次光を異なる波長の二次光に波長変換する蛍光体（波長変換物質）を含有する波長変換シートを光学シート１８，１１８，２１８，３１８，４１８とすることも可能である。それ以外にも、例えば実施形態３に記載された直下型のバックライト装置２１２において、ライティングカーテン（光制御シート）を光学シート２１８とすることも可能である。ライティングカーテンは、シート本体２１８Ａの板面内に、光を透過する透光領域と、光を遮る遮光領域と、を有しており、これら透光領域及び遮光領域がＬＥＤ２１４に対する平面に視た位置関係に基づいて所定の分布（例えばＬＥＤ２１４から遠ざかるほど遮光領域の面積比率が減少し、透光領域の面積比率が増加するような分布）となるよう配置されたものである。このライティングカーテンによれば、ＬＥＤ２１４が局所的な明部として視認され難くなり、輝度ムラの緩和を図ることができる。
【００７６】
（９）ＬＥＤ基板１５，２１５，４１５の設置数は、複数であっても構わない。実施形態１，２，４，５に記載された各構成においては、例えばＸ軸方向に沿って延在する複数のＬＥＤ基板１５，４１５が、シャーシ１９，３１９における同じ第１嵌合部１９Ｂ，３１９Ｂ，４１９Ｂに対して取り付けられる。実施形態３に記載された構成においては、例えばＸ軸方向またはＹ軸方向に沿って延在する短冊状のＬＥＤ基板２１５が複数互いに並行する形で配される。
【００７７】
（１０）実施形態１，２，４，５に記載された各構成においては、シート本体１８Ａ，１１８Ａ，４１８Ａは、平面に視た大きさが導光板１６，３１６，４１６よりも大きくても小さくても構わない。
【００７８】
（１１）実施形態１，２，４，５に記載された各構成において、例えばＬＥＤ基板１５，４１５が導光板１６，３１６，４１６を挟み込むよう対をなして配される、両側入光タイプとすることも可能である。それ以外にも、導光板１６，３１６，４１６の外周端面のうちの３つの端面が入光端面１６Ａ，４１６ＡとなるようＬＥＤ１４，２１４，４１４及びＬＥＤ基板１５，４１５を配置したり、導光板１６，３１６，４１６の外周端面が全周にわたって入光端面１６Ａ，４１６ＡとなるようＬＥＤ１４，２１４，４１４及びＬＥＤ基板１５，４１５を配置したりすることも可能である。
【００７９】
（１２）実施形態２に記載された繋ぎ部２４は、自身における折り曲げ箇所数が３よりも多くても少なくても構わない。また、繋ぎ部２４の設置数は、２よりも多くても少なくても構わない。
【００８０】
（１３）実施形態３，５に記載された各構成に、実施形態２に記載された構成を組み合わせることも可能である。その場合、いずれにおいても繋ぎ部２４の設置数を４とすることが可能であるが、必ずしもその限りではない。
【００８１】
（１４）実施形態２，３，５に記載された各構成において、実施形態４のようにフレーム２０，４２０を除去することも可能である。
【００８２】
（１５）光学シート１８，１１８，２１８，３１８，４１８の設置数は、複数であっても構わない。その場合、複数の光学シート１８，１１８，２１８，３１８，４１８のうちの１つの光学シート１８，１１８，２１８，３１８，４１８にのみ延出部２２，１２２，２２２，３２２，４２２及び伸縮可能部２３，１２３，２２３，４２３が設けられていても構わないが、２つ以上の光学シート１８，１１８，２１８，３１８，４１８にそれぞれ延出部２２，１２２，２２２，３２２，４２２及び伸縮可能部２３，１２３，２２３，４２３が設けられていても構わない。
【００８３】
（１６）液晶表示装置１０及びバックライト装置１２，２１２，３１２の平面形状は、三角形、五角形以上の多角形であってもよく、また円形や楕円形などであっても構わない。
【符号の説明】
【００８４】
１０…液晶表示装置（表示装置）、１１，３１１…液晶パネル（表示パネル）、１２，２１２，３１２…バックライト装置（照明装置）、１４，２１４，４１４…ＬＥＤ（光源）、１４Ａ，２１４Ａ…発光面、１６，３１６，４１６…導光板、１８，１１８，２１８，３１８，４１８…光学シート（シート）、１８Ａ，１１８Ａ，２１８Ａ，４１８Ａ…シート本体、１８Ａ１，１１８Ａ１，２１８Ａ１，４１８Ａ１…辺部、１９Ａ，２１９Ａ，３１９Ａ…ＬＥＤ収容部（光源収容部）、１９Ｂ，２１９Ｂ，３１９Ｂ，４１９Ｂ…第１嵌合部、２０Ａ，２２０Ａ，３１３Ａ，４２０Ａ…枠状部、２０Ｂ，２２０Ｂ，３１３Ｂ，４２０Ｂ…第２嵌合部、２１，２２１，３２１，４２１…嵌合部、２２，１２２，２２２，３２２，４２２…延出部、２３，１２３，２２３，４２３…伸縮可能部、２３Ａ，１２３Ａ…第１片部、２３Ｂ，１２３Ｂ…第２片部、２４…繋ぎ部、１１８Ａ２…角部、ＥＡ…出光領域、ＦＬ…折り曲げ線
【図１】
2022002205.tif 000003
【図２】
2022002205.tif 000004
【図３】
2022002205.tif 000005
【図４】
2022002205.tif 000006
【図５】
2022002205.tif 000007
【図６】
2022002205.tif 000008
【図７】
2022002205.tif 000009
【図８】
2022002205.tif 000010
【図９】
2022002205.tif 000011
【図１０】
2022002205.tif 000012
【図１１】
2022002205.tif 000013
【図１２】
2022002205.tif 000014
【図１３】
2022002205.tif 000015